(57)【特許請求の範囲】
【請求項１】
人感センサを内蔵した子器と、
前記人感センサによる人感検知に応じて子器から送信される信号を受信して動作する複数の照明器具とを備え、
前記子器は、前記人感センサの検知信号を処理する子器制御部と、この子器制御部により処理された信号を送信する送信部とをさらに備え、
前記照明器具は、放電灯と、この放電灯を点灯させる点灯回路と、この点灯回路を制御する制御部と、子器から送信された信号を受信する受信部とを備えたリモコン式照明システムにおいて、
前記子器から送信される信号は、信号であることを表わすヘッダ部と、このヘッダ部に続き前記照明器具の識別用信号及び点灯若しくは消灯又は設定用の制御信号を含むデータ部と、から成り、
前記制御部は、前記ヘッダ部を受信すると前記放電灯の予熱を開始し、前記データ部が自器具に対する点灯信号を含むときには前記点灯回路をＯＮに制御して前記放電灯を点灯させ、前記データ部が自器具に対する点灯信号を含まないときには前記放電灯の予熱を停止させることを特徴とするリモコン式照明システム。
【発明の詳細な説明】
【技術分野】
【０００１】
本発明は、人感センサを内蔵した子器から送信される信号によって照明器具が遠隔制御されるリモコン式照明システムに関する。
【背景技術】
【０００２】
従来、照明器具の近傍に人がいる場合のみ人感センサで人を検知して点灯し、人が近傍にいなくなると消灯する照明器具が、省エネルギーの観点からも広く普及している（例えば、特許文献１参照）。
【０００３】
また、人感センサで検知したいエリアに対して照明器具が異なる場所にある場合、人感センサは、照明器具とは別の位置に取り付けられ、人感センサと照明器具との間が有線で配線される。しかし、この場合は、配線が必要となり、人感センサの位置や対応する照明器具の場所を変更したい場合に、その都度配線を変更する必要があり、非常に不便である。そこで、人感センサを子器に取り付け、人感センサと照明器具との間を無線で通信するリモコン式照明システムが用いられる。しかし、このようなリモコン式照明システムでは、子器と照明器具との間に通信時間を要するため、その通信時間分、照明器具のランプが点灯する時間が遅れる。
【０００４】
さらに、光源であるランプが蛍光灯などの放電灯の場合、ランプを点灯させるためには電極のフィラメントを先に予熱し、その後に放電開始の高電圧を印加し、放電を開始させ、ランプを点灯させるのが一般的である。この予熱時間は、０．５〜１秒程度要する。
【０００５】
人感センサと照明器具との間を無線で通信する従来のリモコン式照明システムの動作を図６を参照して説明する。子器は、人感センサで人を検知し、照明器具を遠隔制御するための信号を送信する。照明器具は、信号を受信し、信号が自器具への点灯信号であれば、予熱回路をＯＮにして予熱を開始する。照明器具は、予熱時間の後、点灯回路をＯＮにしてランプを点灯させる。信号を送受信する通信時間は、通信の方式や手順によって差があるが、０．５〜１秒を要し、さらに、照明器具のランプが蛍光灯の場合、ランプの点灯までに前記予熱時間がかかる。このため、人感センサが人を検知してからランプが最終的に点灯するまで最長２秒程度かかることもある。この場合、照明器具の照射エリアを人が通り過ぎてからランプが点灯してしまい、照明器具の意味をなさない場合も想定される。
【特許文献１】特開２０００−２８５７２６号公報
【発明の開示】
【発明が解決しようとする課題】
【０００６】
本発明は、このような問題を解決するためになされたもので、人感センサと照明器具が離れて設置され、照明器具が遠隔制御されるリモコン式照明システムにおいて、人感センサによる検知に対して迅速にランプを点灯することを可能とするリモコン式照明システムを提供することを目的とする。
【課題を解決するための手段】
【０００７】
上記目的を達成するために請求項１に記載の発明は、人感センサを内蔵した子器と、前記人感センサによる人感検知に応じて子器から送信される信号を受信して動作する１乃至複数の照明器具とを備え、前記子器は、前記人感センサの検知信号を処理する子器制御部と、この子器制御部により処理された信号を送信する送信部とをさらに備え、前記照明器具は、放電灯と、この放電灯を点灯させる点灯回路と、この点灯回路を制御する制御部と、子器から送信された信号を受信する受信部とを備えたリモコン式照明システムにおいて、前記制御部は、前記受信部により前記子器から送信された信号を受信したとき、前記放電灯の予熱を開始させることを特徴とするものである。
【０００８】
請求項２に記載の発明は、請求項１に記載の照明システムにおいて、前記子器から送信される信号は、信号であることを表わすヘッダ部と、照明器具識別用信号及び、点灯若しくは消灯又は設定用の制御信号とを含み、前記照明器具の制御部は、前記子器から送信された信号が、自器具に対する点灯信号でないと判断したとき、前記放電灯の予熱を停止することを特徴とするものである。
【０００９】
請求項３に記載の発明は、請求項１又は請求項２に記載の照明システムにおいて、前記制御部は、前記ヘッダ部を受信すると前記放電灯の予熱を開始することを特徴とするものである。
【発明の効果】
【００１０】
請求項１に記載の発明によれば、人感検知信号に応じて子器から送信された信号を照明器具の制御部が受信した時点で放電灯の予熱を開始するので、人感センサによる検知から放電灯が点灯するまでの時間を短縮することができる。
【００１１】
請求項２に記載の発明によれば、信号が自器具に対する点灯信号でないときは放電灯の予熱を停止するので、放電灯の予熱による劣化を最小限にすることができる。
【００１２】
請求項３に記載の発明によれば、信号のヘッダ部を制御部が受信して放電灯の予熱を開始するので、信号とノイズとを区別でき、ノイズによる誤動作を防ぐことができる。
【発明を実施するための最良の形態】
【００１３】
以下、本発明の第１の実施形態に係るリモコン式照明システムの構成を図１を参照して説明する。リモコン式照明システム１は、リモコンとしての子器２０と、この子器２０から送信される信号２４を受信して動作する１乃至複数の照明器具１０等で構成される。子器２０は、人感センサ２１を内蔵する。人感センサ２１は、例えば、人体が発生する赤外線を検知する赤外線人感センサである。子器２０は、人感センサ２１からの検知信号を処理する子器制御部２２と、子器制御部２２により処理された信号２４を送信する送信部２３とを備える。照明器具１０は、蛍光灯など放電開始に予熱が必要な放電灯１１と、放電灯１１を点灯させる、例えば、インバータからなる点灯回路１２と、点灯回路１２を制御する制御部１３と、子器２０から送信された信号２４を受信する受信部１４とを備える。照明器具１０は、放電灯１１を予熱する予熱回路１５を備える。点灯回路１２と予熱回路１５は、一体の回路構成として点灯回路１２が予熱回路を兼ねるように構成してもよい。照明器具１０には、電源１６から電力が供給される。
【００１４】
制御部１３は、受信部１４により子器２０から送信された信号２４を受信したとき、放電灯１１の予熱を開始させる。信号２４は、子器２０の送信部２３から照明器具１０の受信部１４に通信信号として送信される。信号２４を送信する通信手段は、電波、赤外線等の無線で行うものであれば、いかなる通信手段でもよい。
【００１５】
リモコン式照明システム１の予熱開始を図２（ａ）を参照して説明する。子器２０の人感センサ２１は、人を検知すると検知信号を発生する。子器制御部２２は、人感センサ２１の検知信号を処理し、送信部２３は、子器制御部２２により処理された信号２４を送信する。照明器具１０は、受信部１４により子器２０から送信された信号２４を受信したとき、制御部１３が予熱回路１５をＯＮに制御して放電灯１１の予熱を開始させる。なお、信号２４が受信されたとの判断は、制御部１３と受信部１４のどちらで行うように照明器具１０を構成してもよい。また、制御部１３と受信部１４とを一体的に構成してもよい。
【００１６】
ここで、信号２４の構成を図３を参照して説明する。信号２４は、信号であることを表わすヘッダ部２４Ｈと、ヘッダ部２４Ｈに続くデータ部２４Ｄとを備える。データ部２４Ｄは、制御対象の照明器具識別用信号と、点灯若しくは消灯又は設定用の制御信号とを含む。点灯信号は、照明器具１０を点灯するための制御信号であり、消灯信号は、照明器具１０を消灯するための制御信号であり、設定信号は、例えば、照明器具１０の点灯保持時間などの設定用の制御信号である。
【００１７】
ヘッダ部２４Ｈは、例えば、一定の繰り返し信号で構成され、例えば、デューティ比５０％のパルス信号である。受信部１４は、ヘッダ部２４Ｈを受信すると、受信したものが信号２４であることを認識する。信号２４の長さは、例えば、ヘッダ部２４Ｈが１００ｍｓであり、データ部２４Ｄが４００ｍｓである。
【００１８】
照明器具１０は、ヘッダ部２４Ｈを受信すると放電灯１１の予熱を開始する。ヘッダ部２４Ｈを受信したとの判断は、ヘッダ部２４Ｈの始めの部分で行うことが可能である。例えば、ヘッダ部２４Ｈがデューティ比５０％のパルス信号である場合、デューティ比５０％のパルスを例えば５回受信したらヘッダ部２４Ｈであると判断される。
【００１９】
リモコン式照明システム１の点灯を同じく図２（ａ）を参照して説明する。制御部１３は、ヘッダ部２４Ｈの後のデータ部２４Ｄを処理し、信号２４が自器具に対する点灯信号であると判断すると、点灯回路１２をＯＮに制御する。自器具に対する点灯信号は、照明器具識別用信号が自器具を示し、制御信号が点灯信号である。放電灯１１は、予め予熱されているため、点灯回路１２のＯＮの後すぐに点灯する。信号２４の通信時間による点灯の遅れが最小限に抑えられ、リモコン式照明システム１は、例えば、人感センサ２１が人を検知した後０．８秒で放電灯１１を点灯することができ、照明器具内にセンサが内蔵されているセンサ付き照明器具と同程度の時間で点灯することができる。制御部１３は、所定の点灯保持時間の後、点灯回路１２をＯＦＦにして放電灯１１を消灯する。
【００２０】
次に、リモコン式照明システム１の予熱停止を図２（ｂ）を参照して説明する。照明器具１０の制御部１３は、信号２４のデータ部２４Ｄを処理し、子器２０から送信された信号２４が自器具に対する点灯信号でないと判断したとき、予熱回路１５をＯＦＦにして放電灯１１の予熱を停止する。従って、不要な予熱によって放電灯１１が劣化することを防止することができる。信号２４が自器具に対する点灯信号でないとは、信号２４に自器具の照明器具識別用信号を含まない場合や、制御信号が設定信号である場合などである。
【００２１】
リモコン式照明システムにおいて照明器具が複数設けられる場合の遠隔制御について図４（ａ）乃至図４（ｃ）を参照して説明する。図４（ａ）において、リモコン式照明システム１は、複数の照明器具１０Ａ及び１０Ｂと、一つの子器２０等で構成されている。照明器具１０Ａ及び１０Ｂは、同じ照明器具として設定されており、子器２０は、信号２４を送信して、照明器具１０Ａ及び１０Ｂを同時に遠隔制御する。例えば、照明器具１０Ａの制御部が信号２４を自器具に対する点灯信号であると判断したとき、照明器具１０Ｂの制御部も、信号２４を自器具に対する点灯信号であると判断する。
【００２２】
図４（ｂ）において、リモコン式照明システム１は、複数の照明器具１０Ａ及び１０Ｂと、一つの子器２０とを備える。照明器具１０Ａと１０Ｂとは、別の照明器具として設定されており、子器２０は、遠隔制御する対象の照明器具を選択する照明器具選択手段を備え、照明器具１０Ａ又は１０Ｂを選択して遠隔制御する。照明器具選択手段は、例えば、チャンネル切替スイッチ（図示せず）である。例えば、照明器具１０Ａの制御部が信号２４（１ｃｈ）を自器具に対する点灯信号であると判断したとき、照明器具１０Ｂの制御部は、信号２４（１ｃｈ）を自器具に対する点灯信号でないと判断する。また、照明器具１０Ｂの制御部が信号２４（２ｃｈ）を自器具に対する点灯信号であると判断したとき、照明器具１０Ａの制御部は、信号２４（２ｃｈ）を自器具に対する点灯信号でないと判断する。
【００２３】
図４（ｃ）において、複数の照明器具１０Ａ及び１０Ｂと、複数の子器２０Ａ及び２０Ｂが設置されている。照明器具１０Ａと１０Ｂとは、別の照明器具として設定されており、子器２０Ａは、信号２４（１ｃｈ）を送信して、照明器具１０Ａを遠隔制御し、子器２０Ｂは、信号２４（２ｃｈ）を送信して、照明器具１０Ｂを遠隔制御する。照明器具１０Ａの制御部は、信号２４（１ｃｈ）を自器具に対する信号であると判断し、照明器具１０Ｂの制御部は、該信号２４（１ｃｈ）を自器具に対する信号でないと判断する。また、照明器具１０Ｂの制御部は、信号２４（２ｃｈ）を自器具に対する信号であると判断し、照明器具１０Ａの制御部は、該信号２４（２ｃｈ）を自器具に対する信号でないと判断する。
【００２４】
次に、本発明の第２の実施形態に係るリモコン式照明システムについて説明する。リモコン式照明システムの構成は、第１の実施形態に係るリモコン式照明システム１と同じであるので図１を準用して説明する。リモコン式照明システムは、外部からノイズが入り難い環境で使用される。送信部２３と受信部１４との間の通信手段が電波の場合は、例えば、電波暗室や鉄筋の建物の中など、電磁シールドが比較的効いており外部からノイズが入り難い環境でリモコン式照明システムが使用される。
【００２５】
次に、リモコン式照明システムの動作を図５を参照して説明する。子器２０の人感センサ２１は、人を検知すると検知信号を発生する。子器制御部２２は、人感センサ２１からの検知信号を処理し、送信部２３は、子器制御部２２により処理された信号２４を送信する。照明器具１０は、子器２０から送信された信号を受信したとき、予熱回路１５をＯＮに制御して放電灯１１の予熱を開始する。リモコン式照明システムは、外部からノイズが入り難い環境で使用されるので、信号を受信すると同時に、すなわち、ヘッダ部２４Ｈによって信号２４を受信したと判断するよりも先に、予熱回路１５をＯＮに制御する。これにより、人感センサ２１が人を検知してから放電灯１１が点灯するまでの時間をさらに短縮することができる。
【００２６】
制御部１３は、信号２４が自器具に対する点灯信号であると判断すると、点灯回路１２をＯＮに制御して放電灯１１を点灯する。制御部１３は、信号２４が自器具の点灯信号でないと判断したとき、予熱回路１５をＯＦＦに制御して予熱を停止する。制御部１３は、点灯回路１２をＯＮに制御した場合、所定の点灯保持時間の後、点灯回路１２をＯＦＦに制御して放電灯１１を消灯する。
【００２７】
なお、本発明は、上記各実施形態の構成に限られず、発明の要旨を変更しない範囲で種々の変形が可能である。例えば、人感センサ２１は、赤外線などによって人を直接的に検知するセンサに限られず、例えば、ドアの開扉を検知することによってドアから入ってくる人を間接的に検知するセンサであってもよい。
【図面の簡単な説明】
【００２８】
【図１】本発明の第１の実施形態に係るリモコン式照明システムのブロック図。
【図２】（ａ）は信号が自器具の点灯信号である場合の同システムの動作を説明するタイムチャート、（ｂ）は信号が自器具の点灯信号でない場合の同システムの動作を説明するタイムチャート。
【図３】同システムにおける信号の信号構成図。
【図４】（ａ）は一つの子器で複数の照明器具を同時に遠隔制御する同システムの構成図、（ｂ）は、一つの子器で複数の照明器具を個別に遠隔制御する同システムの構成図、（ｃ）は、複数の同システムがある場合の構成図。
【図５】本発明の第２の実施形態に係るリモコン式照明システムの動作を説明するタイムチャート。
【図６】従来のリモコン式照明システムの動作を説明するタイムチャート。
【符号の説明】
【００２９】
１  リモコン式照明システム
１０  照明器具
１１  放電灯
１２  点灯回路
１３  制御部
１４  受信部
２０  子器
２１  人感センサ
２２  子器制御部
２３  送信部
２４  子器からの信号
２４Ｄ  データ部
２４Ｈ  ヘッダ部
【図１】
0004940100.tif 000002
【図２】
0004940100.tif 000003
【図３】
0004940100.tif 000004
【図４】
0004940100.tif 000005
【図５】
0004940100.tif 000006
【図６】
0004940100.tif 000007